(57)【要約】【課題】  通信装置の収容状態を容易かつ正確に把握することができる管理装置及び表示方法を提供する。【解決手段】  管理装置は、収容装置に収容された複数の通信装置の収容状態を管理する管理装置において、前記収容装置に付与され、前記収容装置の種類及び前記複数の通信装置の収容位置を示す第１ラベルと、前記複数の通信装置の各々に付与され、該通信装置の種類を示す第２ラベルとを含む撮像データから得られた装置情報を受け付ける受付部と、前記装置情報に基づき、前記収容装置の種類に応じた前記複数の通信装置の各々の前記収容位置を識別して表示する表示処理部を有する。【選択図】図１
2017207958.tif 000002
【特許請求の範囲】
【請求項１】
収容装置に収容された複数の通信装置の収容状態を管理する管理装置において、
前記収容装置に付与され、前記収容装置の種類及び前記複数の通信装置の収容位置を示す第１ラベルと、前記複数の通信装置の各々に付与され、該通信装置の種類を示す第２ラベルとを含む撮像データから得られた装置情報を受け付ける受付部と、
前記装置情報に基づき、前記収容装置の種類に応じた前記複数の通信装置の各々の前記収容位置を識別して表示する表示処理部を有することを特徴とする管理装置。
【請求項２】
前記装置情報は、前記収容装置に付与された前記第１ラベルと、前記第１ラベルと隣り合うように前記複数の通信装置の各々に付与された前記第２ラベルとを含む前記撮像データから得られることを特徴とする請求項１に記載の管理装置。
【請求項３】
前記装置情報は、前記収容装置において互いに隣接する複数の前記収容位置に対して所定数おきに付与された前記第１ラベルと、前記複数の通信装置の各々に付与された第２ラベルとを含む前記撮像データから得られることを特徴とする請求項１または２に記載の管理装置。
【請求項４】
前記第２ラベルは、前記複数の通信装置のうち、該通信装置の種類及び消費電力を示し、
前記表示処理部は、前記複数の通信装置の消費電力の合計を算出して表示することを特徴とする請求項１乃至３の何れかに記載の管理装置。
【請求項５】
前記表示処理部は、前記複数の通信装置の消費電力の合計が所定値を超える場合、警告を表示することを特徴とする請求項４に記載の管理装置。
【請求項６】
前記撮像データは、複数組の前記第１ラベル及び前記第２ラベルが撮像されたものであることを特徴とする請求項１乃至５の何れかに記載の管理装置。
【請求項７】
収容装置にそれぞれ収容された複数の通信装置の収容状態を表示する表示方法において、
前記収容装置に付与され、前記収容装置の種類及び前記収容位置を示す第１ラベルと、前記複数の通信装置の各々に付与され、該通信装置の種類を示す第２ラベルとから得られた装置情報に基づき、前記収容装置の種類に応じた前記複数の通信装置の各々の前記収容位置を識別して表示することを特徴とする表示方法。
【発明の詳細な説明】
【技術分野】
【０００１】
本件は、管理装置及び表示方法に関する。
【背景技術】
【０００２】
ブレードサーバやブレードタイプの伝送装置などの薄型の通信装置（以下、ブレード装置）が普及している。ブレード装置は、ラック、またはラックに取り付けられたハウジングに収容されて運用される。ラックまたはハウジングには、多数のブレード装置を収容することができるため、その設置場所の省スペース化が可能である。
【０００３】
ラック内またはハウジング内の各ブレード装置の収容状態は、障害対応などの保守作業に備えて、例えばＯｐＳ（Operating System）などの外部のネットワーク管理装置により管理される。例えば特許文献１には、ラックに搭載されるサーバの位置を、ラックの棚ごとに備えたバーコードラベルで管理する点が記載されている。
【先行技術文献】
【特許文献】
【０００４】
【特許文献１】特開２０１１−１６５１０４号公報
【発明の概要】
【発明が解決しようとする課題】
【０００５】
ブレード装置は、ラックまたはハウジングから独立したネットワーク機器であるため、自装置が収容されているのがラック及びハウジングの何れであるのかを検出できず、さらに自装置の収容位置を検出することもできない。このため、例えば、ラック内またはハウジング内の各ブレード装置の収容状態を手作業でネットワーク管理装置に登録する必要があるが、多くの作業時間がかかるだけでなく、ヒューマンエラーの懸念がある。
【０００６】
これに対し、特許文献１の記載にされた技術によると、バーコードラベルによりサーバの位置が判別されるが、バーコードラベルの情報を読み出すために、各サーバにバーコードリーダを設ける必要があるため、サーバのコストが増加するという別の問題が生ずる。
【０００７】
そこで本件は上記の課題に鑑みてなされたものであり、通信装置の収容状態を容易かつ正確に把握することができる管理装置及び表示方法を提供することを目的とする。
【課題を解決するための手段】
【０００８】
本明細書に記載の管理装置は、収容装置に収容された複数の通信装置の収容状態を管理する管理装置において、前記収容装置に付与され、前記収容装置の種類及び前記複数の通信装置の収容位置を示す第１ラベルと、前記複数の通信装置の各々に付与され、該通信装置の種類を示す第２ラベルとを含む撮像データから得られた装置情報を受け付ける受付部と、前記装置情報に基づき、前記収容装置の種類に応じた前記複数の通信装置の各々の前記収容位置を識別して表示する表示処理部を有する。
【０００９】
本明細書に記載の表示方法は、収容装置にそれぞれ収容された複数の通信装置の収容状態を表示する表示方法において、前記収容装置に付与され、前記収容装置の種類及び前記収容位置を示す第１ラベルと、前記複数の通信装置の各々に付与され、該通信装置の種類を示す第２ラベルとから得られた装置情報に基づき、前記収容装置の種類に応じた前記複数の通信装置の各々の前記収容位置を識別して表示する方法である。
【発明の効果】
【００１０】
通信装置の収容状態を容易かつ正確に把握することができる。
【図面の簡単な説明】
【００１１】
【図１】通信システムの一例を示す構成図である。
【図２】ブレード装置を収容したラックの一例を示す正面図である。
【図３】ブレード装置を収容したハウジングの一例を示す正面図である。
【図４】ネットワーク管理装置の一例を示す構成図である。
【図５】設置情報テーブルの一例を示す図である。
【図６】装置情報テーブルの一例を示す図である。
【図７】シンボルデータベースの一例を示す図である。
【図８】ラックとハウジングの設置からブレード装置の収容状態の表示までの手順の一例を示すフローチャートである。
【図９】二次元バーコードラベルの撮影手法の一例を示す図である。
【図１０】端末の一例を示す構成図である。
【図１１】撮像データの解析処理の一例を示すフローチャートである。
【図１２】ブレード装置の収容状態の表示処理の一例を示すフローチャートである。
【図１３】ラック及びハウジングの表示例を示す図である。
【図１４】ブレード装置の表示例を示す図である。
【図１５】ラックとハウジングの設置からブレード装置の収容状態の表示までの手順の他例を示すフローチャートである。
【図１６】二次元バーコードラベルの撮影手法の他例を示す図である。
【図１７】画像の分割処理の一例を示す図である。
【図１８】二次元バーコードラベルの撮影手法の他例を示す図である。
【図１９】画像の分割処理の他例を示す図である。
【図２０】装置情報テーブルの他例を示す図である。
【図２１】設置情報テーブルの他例を示す図である。
【図２２】ブレード装置の収容状態の表示処理の他例を示すフローチャートである。
【図２３】電力超過通知の表示例を示す図である。
【発明を実施するための形態】
【００１２】
図１は、通信システムの一例を示す構成図である。通信システムは、ネットワーク管理装置１、ラック３ａ〜３ｃ、ハウジング３６、複数の監視制御用ブレード装置２ａ、及び複数の主信号伝送用ブレード装置２ｂを有する。
【００１３】
主信号伝送用ブレード装置２ｂは例えば光信号の伝送処理を行い、監視制御用ブレード装置２ａは主信号伝送用ブレード装置２ｂの監視制御を行う。監視制御用ブレード装置２ａ及び主信号伝送用ブレード装置２ｂの前面には、各種の状態を表示するランプや通信用のＬＡＮ（Local Area Network）ポートが設けられている。監視制御用ブレード装置２ａ及び主信号伝送用ブレード装置２ｂは通信装置の一例である。なお、通信装置としては、監視制御用ブレード装置２ａは主信号伝送用ブレード装置２ｂに限られず、ブレードサーバも挙げられる。
【００１４】
ラック３ａ〜３ｃのうち、ラック３ａ，３ｃは種類が同一である。ラック３ａ，３ｃは、矩形状の基台３０、及び基台３０の四隅から上方向にそれぞれ延びる４本の支持柱３１を有する。ラック３ａは、監視制御用ブレード装置２ａ及び主信号伝送用ブレード装置２ｂを収容し、ラック３ｃは、主信号伝送用ブレード装置２ｂを収容している。ラック３ａ，３ｃは収容装置の一例である。
【００１５】
監視制御用ブレード装置２ａ及び主信号伝送用ブレード装置２ｂは、固定金具などにより各支持柱３１に対し固定される。監視制御用ブレード装置２ａ及び主信号伝送用ブレード装置２ｂの固定位置、つまり収容位置は、各支持柱３１に囲まれた空間内で上下方向に並んだスロットとして規定される。
【００１６】
ラック３ａにおいて、監視制御用ブレード装置２ａは、例えばＬＡＮケーブル３２を介し各主信号伝送用ブレード装置２ｂに接続されている。監視制御用ブレード装置２ａは、ＬＡＮケーブル３３を介しネットワークＮＷに接続され、さらにネットワーク管理装置１に接続されている。また、ラック３ｃにおいて、主信号伝送用ブレード装置２ｂは、ＬＡＮケーブル３８を介しネットワークＮＷに接続され、さらにネットワーク管理装置１に接続されている。
【００１７】
また、ラック３ｂは、矩形状の基台３４、及び基台３４の両端部の中央から上方向にそれぞれ延びる一組の支持柱３５を有する。一組の支持柱３５には、監視制御用ブレード装置２ａ及び主信号伝送用ブレード装置２ｂを収容したハウジング３６が固定金具などにより固定されている。ハウジング３６は、収容装置の一例であり、監視制御用ブレード装置２ａ及び主信号伝送用ブレード装置２ｂを収容するための直方体状の収容空間を有している。
【００１８】
ハウジング３６内の監視制御用ブレード装置２ａ及び主信号伝送用ブレード装置２ｂは、収容空間内で上下方向に並ぶ複数のスロットに収容されている。監視制御用ブレード装置２ａは、例えばＬＡＮケーブル３３を介し各主信号伝送用ブレード装置２ｂに接続されている。
【００１９】
また、ハウジング３６は、監視制御用ブレード装置２ａ及び主信号伝送用ブレード装置２ｂに電源供給を行う。このため、ハウジング３６に収容する監視制御用ブレード装置２ａ及び主信号伝送用ブレード装置２ｂの消費電力の合計は、ハウジング３６の許容電力により制限される。
【００２０】
ネットワーク管理装置１は、例えばＯｐＳであり、ラック３ａ，３ｃ及びハウジング３６に収容された監視制御用ブレード装置２ａ及び主信号伝送用ブレード装置２ｂを管理する。ネットワーク管理装置１は、ネットワークＮＷを介して監視制御用ブレード装置２ａまたは主信号伝送用ブレード装置２ｂと通信することにより、監視制御用ブレード装置２ａまたは主信号伝送用ブレード装置２ｂから障害やトラフィック量などの各種の情報を収集する。
【００２１】
また、ネットワーク管理装置１は、管理装置の一例であり、各監視制御用ブレード装置２ａ及び各主信号伝送用ブレード装置２ｂの収容状態を管理する。しかし、監視制御用ブレード装置２ａ及び主信号伝送用ブレード装置２ｂは、ラック３ａ，３ｃまたはハウジング３６から独立したネットワーク機器であるため、自装置が収容されているのがラック３ａ，３ｃ及びハウジング３６の何れであるのかを検出できず、さらに自装置の収容位置を検出することもできない。このため、ネットワーク管理装置１は、各監視制御用ブレード装置２ａ及び各主信号伝送用ブレード装置２ｂと通信しても、その収容装置の種類及び収容位置の情報を取得することができない。
【００２２】
そこで、ラック３ａ，３ｃ、ハウジング３６、監視制御用ブレード装置２ａ、及び主信号伝送用ブレード装置２ｂには、各監視制御用ブレード装置２ａ及び各主信号伝送用ブレード装置２ｂの収容位置を特定するための情報を示す二次元バーコードラベルがそれぞれ付与されている。なお、以降の説明において、監視制御用ブレード装置２ａ及び主信号伝送用ブレード装置２ｂを、ブレード装置２として表記する。なお、二次元バーコードラベルとしては、ＱＲ（Quick Response）コード（登録商標）ラベルが挙げられるが、これに限定されない。
【００２３】
図２は、ブレード装置２を収容したラック３ａ，３ｃの一例を示す正面図である。ラック３ａ，３ｃには、ブレード装置２がそれぞれ収容されたスロット位置（スロット＃１〜＃１１）と対応するように、ラック３ａ，３ｃの種類及びスロット位置を示す二次元バーコードラベル９１が付与されている。より具体的には、二次元バーコードラベル９１は、支持柱３１の１つに上下方向に並んで貼り付けられている。
【００２４】
二次元バーコードラベル９１には、ラック３ａ，３ｃの種類である型格、シリアル番号、及び該当するスロット番号の各情報が示されている。各二次元バーコードラベル９１が示すスロット番号は互いに異なる。例えば、スロット＃３の位置に貼り付けられた二次元バーコードラベル９１は、スロット番号＃３を示し、スロット＃６の位置に貼り付けられた二次元バーコードラベル９１は、スロット番号＃６を示す。なお、ラック３ａ，３ｃのスロット位置は収容位置の一例であり、二次元バーコードラベル９１は第１ラベルの一例である。
【００２５】
また、各ブレード装置２には、そのブレード装置２の種類を示す二次元バーコードラベル９２が付与されている。より具体的には、二次元バーコードラベル９２は、ラック３ａ，３ｃの二次元バーコードラベル９１と隣り合うように、ブレード装置２の正面の一端に貼り付けられている。
【００２６】
二次元バーコードラベル９２には、ブレード装置２の種類である型格及び版数とシリアル番号の各情報が示されている。なお、二次元バーコードラベル９２は第２ラベルの一例である。
【００２７】
図３は、ブレード装置２を収容したハウジング３６の一例を示す正面図である。ハウジング３６には、ブレード装置２がそれぞれ収容されたスロット位置（スロット＃１〜＃７）と対応するように、ハウジング３６の種類及びスロット位置を示す二次元バーコードラベル９３が付与されている。より具体的には、二次元バーコードラベル９３は、ハウジング３６の正面に左右に張り出した一組の張出部３６０の一方に上下方向に並んで貼り付けられている。
【００２８】
二次元バーコードラベル９３には、ハウジング３６の種類である型格、シリアル番号、及び該当するスロット番号の各情報が示されている。各二次元バーコードラベル９３が示すスロット番号は互いに異なる。例えば、スロット＃１の位置に貼り付けられた二次元バーコードラベル９３は、スロット番号＃１を示し、スロット＃７の位置に貼り付けられた二次元バーコードラベル９３は、スロット番号＃７を示す。なお、ハウジング３６のスロット位置は収容位置の一例であり、二次元バーコードラベル９３は第１ラベルの一例である。
【００２９】
また、各ブレード装置２には、図２の例と同様に、そのブレード装置２の種類を示す二次元バーコードラベル９２が付与されている。二次元バーコードラベル９２は、ハウジング３６の二次元バーコードラベル９２と隣り合うように、ブレード装置２の正面の一端に貼り付けられている。
【００３０】
ネットワーク管理装置１は、ラック３ａ，３ｃまたはハウジング３６の二次元バーコードラベル９１，９３とブレード装置２の二次元バーコードラベル９２が撮像された撮像データに基づき、各ブレード装置２の種類、及びラック３ａ，３ｃまたはハウジング３６の種類に応じた各ブレード装置２のスロット位置を識別して表示する。ここで、二次元バーコードラベル９１〜９３の撮像データは、例えば、スマートフォンなどのデジタルカメラ付きの端末で二次元バーコードラベル９１〜９３を撮影することにより容易に生成することができる。
【００３１】
また、二次元バーコードラベル９１，９３には、ラック３ａ，３ｃまたはハウジング３６の種類及び収容位置が示され、二次元バーコードラベル９２には、ブレード装置２の種類が示されている。したがって、実施例のネットワーク管理装置１によると、ブレード装置２の収容状態を容易かつ正確に把握することができる。以下にネットワーク管理装置１の構成について説明する。
【００３２】
図４は、ネットワーク管理装置１の一例を示す構成図である。ネットワーク管理装置１は、ＣＰＵ（Central Processing Unit）１０、ＲＯＭ（Read Only Memory）１１、ＲＡＭ（Random Access Memory）１２、ＨＤＤ（Hard Disk Drive）１３、複数の通信ポート１４、入力装置１５、及び出力装置１６を有する。また、ネットワーク管理装置１は、メモリカードＭＣに対しデータを読み書きするためのメモリーカードインターフェース部（メモリカードＩＮＦ）部１７を有する。ＣＰＵ１０は、互いに信号の入出力ができるように、ＲＯＭ１１、ＲＡＭ１２、ＨＤＤ１３、複数の通信ポート１４、入力装置１５、出力装置１６、及びメモリカードＩＮＦ部１７と、バス１９を介して接続されている。
【００３３】
ＲＯＭ１１は、ＣＰＵ１０を駆動するプログラムが格納されている。ＲＡＭ１２は、ＣＰＵ１０のワーキングメモリとして機能する。通信ポート１４は、例えばＮＩＣ（Network Interface Card）であり、ネットワークＮＷとの通信を処理する。
【００３４】
入力装置１５は、ネットワーク管理装置１に情報を入力する装置である。入力装置１５としては、例えばキーボード、マウス、及びタッチパネルなどが挙げられる。入力装置１５は、入力された情報を、バス１９を介しＣＰＵ１０に出力する。
【００３５】
出力装置１６は、試験実行サーバ１の情報を出力する装置である。出力装置１６としては、例えばディスプレイ及びタッチパネルなどの情報の表示装置が挙げられる。出力装置１６は、ＣＰＵ１０からバス１９を介して情報を取得して出力する。
【００３６】
ＣＰＵ１０は、ＲＯＭ１１からプログラムを読み込むと、機能として、制御部１００、設置情報登録部１０１、装置情報登録部１０２、及び表示処理部１０３とが形成される。また、ＨＤＤ１３には、設置情報テーブル１３０、シンボルデータベース（シンボルＤＢ）１３１、及び装置情報テーブルＴＬが記憶されている。なお、設置情報テーブル１３０、シンボルデータベース１３１、及び装置情報テーブルＴＬの記憶手段としては、ＨＤＤ１３に代えて、メモリカードＭＣなどの記憶媒体やＥＰＲＯＭ（Erasable Programmable ROM）などの不揮発性メモリなどが用いられてもよい。
【００３７】
制御部１００はネットワーク管理装置１の動作を制御する。制御部１００は、設置情報登録部１０１、装置情報登録部１０２、及び表示処理部１０３に対し、状態に応じて動作を指示する。
【００３８】
設置情報登録部１０１は、ラック３ａ〜３ｃ及びハウジング３６の設置に関する設置情報を設置情報テーブル１３０に登録する。設置情報は、例えば、オペレータの操作により入力装置から入力される。
【００３９】
図５には設置情報テーブル１３０の一例が示されている。設置情報テーブル１３０には、設置情報として、ラック３ａ〜３ｃ及びハウジング３６の識別情報である「ラック／ハウジング」情報、及びその設置場所を示す「設置場所」情報が登録されている。各設置情報は、個別のデータ番号（＃１〜＃３）により管理される。
【００４０】
「ラック／ハウジング」情報には、ラック３ａ〜３ｃ及びハウジング３６の種類を示す型格と、ラック３ａ〜３ｃ及びハウジング３６に個別に付与されたシリアル番号（例えば製造番号）とが含まれる。本例では、ラック３ａ，３ｃの型格を「ＦＪ−ＲＡＣＫ−００１」とし、ラック３ｂの型格を「ＦＪ−ＲＡＣＫ−００２」とし、ハウジング３６の型格を「ＦＪ−ＨＯＵＳＩＮＧ−００１」とする。
【００４１】
また、「設置場所」情報には、ラック３ａ〜３ｃ及びハウジング３６が設置される建物（例えば局舎など）内のフロア、架列（列の番号）、及び位置番号と、スロット番号とが含まれる。スロット番号は、ハウジング３６が取り付けられるラック３ｂのスロット位置を示す。本例の場合、ハウジング３６は、そのスロット＃１の位置がラック３ｂのスロット＃２の位置に一致するようにラック３ｂに取り付けられている。なお、スロット番号は、ラック３ａ〜３ｃについては無効な情報（「Ｎ／Ａ」参照）である。
【００４２】
再び図４を参照すると、装置情報登録部１０２は、ブレード装置２に関する装置情報を装置情報テーブルＴＬに登録する。装置情報は、端末において二次元バーコードラベル９１〜９３の撮像データから生成される。装置情報登録部１０２は、装置情報を例えばメモリカードＭＣまたは通信ポート１４から取得することができる。すなわち、装置情報登録部１０２は、受付部の一例であり、ラック３ａ，３ｃまたはハウジング３６に付与された二次元バーコードラベル９１，９３と、ブレード装置２に付与された二次元バーコードラベル９２とを含む撮像データから得られた装置情報を受け付ける。
【００４３】
図６には装置情報テーブルＴＬの一例が示されている。装置情報テーブルＴＬには、装置情報として、ラック３ａ〜３ｃ及びハウジング３６内のブレード装置２の収容位置に関する「収容位置」情報、及びブレード装置２を示す「ブレード装置」情報が登録されている。各設置情報は、個別のデータ番号（＃１〜＃８）により管理される。
【００４４】
「収容位置」情報は、ラック３ａ，３ｃまたはハウジング３６に付与された二次元バーコードラベル９１，９３から取得される。「収容位置」情報には、ラック３ａ，３ｃまたはハウジング３６の型格及びシリアル番号と、そのラック３ａ，３ｃまたはハウジング３６に収容されたブレード装置２のスロット番号とが含まれる。
【００４５】
「ブレード装置」情報は、ラック３ａ，３ｃまたはハウジング３６内のブレード装置２に付与された二次元バーコードラベル９２から取得される。「ブレード装置」情報にはブレード装置２の型格、版数、及びシリアル番号が含まれる。
【００４６】
例えば、データ番号＃１の装置情報を参照すると、型格「ＦＪ−ＲＡＣＫ−００１」でシリアル番号「００１２３」のラック３ａ，３ｃのスロット＃３には、型格「ＦＪ−ＢＬＡＤＥ−００１」の版数「１」でシリアル番号「００１００」のブレード装置２が収容されていることになる。また、例えば、データ番号＃８の装置情報を参照すると、型格「ＦＪ−ＨＯＵＳＩＮＧ−００１」でシリアル番号「００４５６」のハウジング３６のスロット＃５には、型格「ＦＪ−ＢＬＡＤＥ−００３」の版数「２」でシリアル番号「０００４１」のブレード装置２が収容されていることになる。
【００４７】
装置情報テーブルＴＬに登録された各装置情報は、ラック３ａ，３ｃまたはハウジング３６に付与された二次元バーコードラベル９１，９３とブレード装置２に付与された二次元バーコードラベル９２を撮像した撮像データから生成される。装置情報テーブルＴＬには、ラック３ａ，３ｃまたはハウジング３６の型格及びスロット番号が、そのスロット番号の位置に収容されたブレード装置２の型格及び版数と対応付けて登録されている。
【００４８】
このため、ネットワーク管理装置１は、ブレード装置２と通信しなくても、装置情報テーブルＴＬの装置情報からラック３ａ，３ｃまたはハウジング３６内のブレード装置２の正確な収容状態を容易に識別することができる。
【００４９】
再び図４を参照すると、表示処理部１０３はブレード装置２の収容状態を出力装置１６に表示する。つまり、表示処理部１０３は実施例の表示方法を実行する。
【００５０】
表示処理部１０３は、設置情報テーブル１３０及び装置情報テーブルＴＬに基づき、各ブレード装置２の型格及び版数、及びラック３ａ，３ｃまたはハウジング３６の型格に応じた各ブレード装置２のスロット位置を識別して表示する。表示処理部１０３は、オペレータがブレード装置２の収容状態を視覚的に認識しやすいように、各型格のラック３ａ〜３ｃ、ハウジング３６、及び各型格・各版数のブレード装置２の形状を模したシンボルをシンボルデータベース１３１から取得して表示する。
【００５１】
図７には、シンボルデータベース１３１の一例が示されている。シンボルＳａは型格「ＦＪ−ＲＡＣＫ−００１」のラック３ａ，３ｃを表し、シンボルＳｂは型格「ＦＪ−ＲＡＣＫ−００２」のラック３ｂを表す。また、シンボルＳｃは型格「ＦＪ−ＨＯＵＳＩＮＧ−００１」のハウジング３６を表す。シンボルＳａ〜Ｓｃにはスロット番号が含まれる。さらに、Ｓｄ〜Ｓｉは、型格「ＦＪ−ＢＬＡＤＥ−００１」〜「ＦＪ−ＢＬＡＤＥ−００３」及び版数「１」，「２」の各ブレード装置２を表す。
【００５２】
図８は、ラック３ａ〜３ｃとハウジング３６の設置からブレード装置２の収容状態の表示までの手順の一例を示すフローチャートである。まず、作業者が、例えば通信会社の局舎内にラック３ａ〜３ｃとハウジング３６を設置する（ステップＳｔ１）。このとき、作業者は、あらかじめ用意したブレード装置２をラック３ａ，３ｃとハウジング３６の所定のスロット位置に収容する。
【００５３】
次に、作業者は、ラック３ａ〜３ｃとハウジング３６の設置情報をネットワーク管理装置１に登録する（ステップＳｔ２）。設置情報の登録は、作業者が入力装置１５を操作することにより行われてもよいし、作業者が端末からネットワーク管理装置１に設置情報を送信することにより行われてもよい。設置情報は、ネットワーク管理装置１の設置情報テーブル１３０に登録される。
【００５４】
次に、作業者は、ラック３ａ，３ｃまたはハウジング３６の二次元バーコードラベル９１，９３とブレード装置２の二次元バーコードラベル９２の一組を選択して、端末などのカメラにより撮影する（ステップＳｔ３）。これにより、二次元バーコードラベル９１〜９３が撮像された撮像データが生成される。
【００５５】
図９には、二次元バーコードラベル９１〜９３の撮影手法の一例が示されている。本例では、ラック３ａ，３ｃに収容されたブレード装置２の場合を挙げるが、ハウジング３６に収容されたブレード装置２の場合も同様に撮影することができる。
【００５６】
作業者は、一例として、スマートフォンなどのカメラ４８付きの端末４を用いて二次元バーコードラベル９１，９２を撮影する。より具体的には、作業者は、端末４のタッチパネル４５の表示画面に、ラック３ａ，３ｃ及びブレード装置２の点線枠で示した領域が収まるように撮影を行う。
【００５７】
これにより、符号Ｇａで示されるように、ラック３ａ，３ｃの二次元バーコードラベル９１及びブレード装置２の二次元バーコードラベル９２の一組が同一のフレーム内に収められた画像が撮影される。このとき、ブレード装置２の二次元バーコードラベル９２は、ラック３ａ，３ｃの二次元バーコードラベル９１と隣り合うように付与されているため、撮影が容易である。
【００５８】
再び図８を参照すると、端末４は、撮影した画像Ｇａの撮像データの正常性を確認するため、撮像データを解析する（ステップＳｔ４）。この解析処理については後述する。
【００５９】
作業者は、解析の結果、撮像データが異常である場合（ステップＳｔ５のＮｏ）、撮影をやり直す（ステップＳｔ３）。また、作業者は、解析の結果、撮像データが正常である場合（ステップＳｔ５のＹｅｓ）、端末４により撮像データから装置情報を生成する（ステップＳｔ６）。つまり、装置情報は、ラック３ａ，３ｃに付与された二次元バーコードラベル９１と、二次元バーコードラベル９１と隣り合うように各ブレード装置２に付与された二次元バーコードラベル９２とを含む撮像データから得られる。なお、装置情報の生成は、端末４に代えて、ネットワーク管理装置１が行ってもよい。
【００６０】
作業者は、全てのブレード装置２について二次元バーコードラベル９１〜９３の組の撮影を完了していない場合（ステップＳｔ７のＮｏ）、再び撮影を行う（ステップＳｔ３）。また、作業者は、撮影が完了した場合（ステップＳｔ７のＹｅｓ）、ネットワーク管理装置１に装置情報を登録する（ステップＳｔ８）。このとき、作業者は、装置情報を端末４からネットワークＮＷを介してネットワーク管理装置１に送信することで登録してもよいし、装置情報をメモリカードＭＣに保存したうえで、そのメモリカードＭＣ経由で（図９参照）ネットワーク管理装置１に装置情報を登録してもよい。なお、ネットワーク管理装置１において、装置情報は装置情報テーブルＴＬに登録される。
【００６１】
次に、ネットワーク管理装置１は、装置情報テーブルＴＬに基づき、ラック３ａ，３ｃとハウジング３６内のブレード装置２の収容状態を表示する（ステップＳｔ９）。この表示処理については後述する。このようにして、ラック３ａ〜３ｃとハウジング３６の設置からブレード装置２の収容状態の表示までの作業が行われる。
【００６２】
図１０は、端末４の一例を示す構成図である。端末４は、ＣＰＵ４０、ＲＯＭ４１、ＲＡＭ４２、不揮発性メモリ４３、通信ポート４４、タッチパネル４５、メモリカードＩＮＦ部４７、及びカメラ４８を有する。ＣＰＵ４０は、互いに信号の入出力ができるように、ＲＯＭ４１、ＲＡＭ４２、不揮発性メモリ４３、通信ポート４４、タッチパネル４５、メモリカードＩＮＦ部４７、及びカメラ４８と、バス４９を介して接続されている。
【００６３】
ＲＯＭ４１は、ＣＰＵ４０を駆動するプログラムが格納されている。ＲＡＭ４２は、ＣＰＵ４０のワーキングメモリとして機能する。通信ポート４４は、例えば無線ＬＡＮモジュールであり、ネットワークＮＷを介したネットワーク管理装置１との通信を処理する。また、タッチパネル４５は画像の表示やタッチ入力操作の受付を行い、カメラ４８は画像の撮影を行う。
【００６４】
ＣＰＵ４０は、ＲＯＭ４１からプログラムを読み込むと、機能として、動作制御部４００、カメラ駆動部４０１、画像解析部４０２、及び装置情報生成部４０３が生成される。動作制御部４００は、端末４の動作を制御する。動作制御部４００は、カメラ駆動部４０１、画像解析部４０２、及び装置情報生成部４０３に対し、状態に応じて動作を指示する。
【００６５】
カメラ駆動部４０１は、タッチパネル４５からのタッチ入力操作に応じカメラ４８を駆動制御する。カメラ４８により撮影された画像Ｇａは、撮像データＤとして不揮発性メモリ４３に格納される。
【００６６】
画像解析部４０２は、タッチパネル４５からのタッチ入力操作に応じ、撮像データＤを解析することにより画像Ｇａの正常性を判定する。画像解析部４０２は、画像Ｇａの正常性の判定結果をタッチパネル４５に表示する。
【００６７】
装置情報生成部４０３は、タッチパネル４５からのタッチ入力操作に応じ、撮像データＤから装置情報を生成して、ネットワーク管理装置１と同様の装置情報テーブルＴＬに登録する。装置情報生成部４０３は、撮像データＤから二次元バーコードラベル９１〜９３を識別して、その二次元バーコードラベル９１〜９３に表示された各種の情報を読み出す。装置情報生成部４０３は、読み出した各種の情報を、装置情報として、不揮発性メモリ４３に格納された装置情報テーブルＴＬに登録する。
【００６８】
また、動作制御部４００は、タッチパネル４５からのタッチ入力操作に応じ、装置情報テーブルＴＬ内の装置情報を通信ポート４４を介してネットワーク管理装置１に送信し、あるいはメモリカードＩＮＦ部４７を介しメモリカードＭＣに格納する。
【００６９】
図１１は、撮像データＤの解析処理の一例を示すフローチャートである。本処理は、図８のステップＳｔ４において、画像解析部４０２により実行される。
【００７０】
画像解析部４０２は、撮像データＤの画像Ｇａに２つの二次元バーコードラベル９１〜９３が含まれているか否かを判定する（ステップＳｔ２１）。画像解析部４０２は、図９の画像Ｇａのように、ラック３ａ，３ｃの二次元バーコードラベル９１とブレード装置２の二次元バーコードラベル９２が含まれている場合、２つの二次元バーコードラベル９１〜９３が含まれていると判定する。これに対し、画像解析部４０２は、ラック３ａ，３ｃの二次元バーコードラベル９１とブレード装置２の二次元バーコードラベル９２のうち、一方の二次元バーコードラベルしか含まれていない場合、２つの二次元バーコードラベル９１〜９３が含まれていないと判定する。
【００７１】
画像解析部４０２は、２つの二次元バーコードラベル９１〜９３が含まれていない場合（ステップＳｔ２１のＮｏ）、撮像データＤを異常と判定する（ステップＳｔ２７）。また、画像解析部４０２は、２つの二次元バーコードラベル９１〜９３が含まれている場合（ステップＳｔ２１のＹｅｓ）、撮像データＤのエラーを検出する（ステップＳｔ２２）。つまり、画像解析部４０２は、画像Ｇａ内の二次元バーコードラベル９１〜９３から各情報が正常に読み出せるか否かを判定する。
【００７２】
画像解析部４０２は、撮像データＤにエラーが含まれている場合（ステップＳｔ２２のＹｅｓ）、撮像データＤを異常と判定する（ステップＳｔ２７）。また、画像解析部４０２は、撮像データＤにエラーが含まれていない場合（ステップＳｔ２２のＮｏ）、二次元バーコードラベル９１〜９３の示す型格がネットワーク管理装置１の管理対象のものであるか否かを判定する（ステップＳｔ２３）。
【００７３】
画像解析部４０２は、型格が管理対象のものではない場合（ステップＳｔ２３のＮｏ）、撮像データＤを異常と判定する（ステップＳｔ２７）。また、画像解析部４０２は、型格が管理対象のものである場合（ステップＳｔ２３のＹｅｓ）、その型格がラック３ａ，３ｃのものであるかハウジング３６のものであるかを判定する（ステップＳｔ２４）。
【００７４】
画像解析部４０２は、型格がラック３ａ，３ｃのものである場合（ステップＳｔ２４のＹｅｓ）、２つの二次元バーコードラベル９１，９２間の距離がラック３ａ，３ｃに応じた値であるか否かを判定する（ステップＳｔ２８）。画像解析部４０２は、２つの二次元バーコードラベル９１，９２間の距離がラック３ａ，３ｃに応じた値ではない場合（ステップＳｔ２８のＮｏ）、撮像データＤを異常と判定する（ステップＳｔ２９）。また、画像解析部４０２は、２つの二次元バーコードラベル９１，９２間の距離がラック３ａ，３ｃに応じた値である場合（ステップＳｔ２８のＹｅｓ）、撮像データＤを正常と判定する（ステップＳｔ２６）。
【００７５】
画像解析部４０２は、型格がハウジング３６のものである場合（ステップＳｔ２４のＮｏ）、２つの二次元バーコードラベル９３，９２間の距離がハウジング３６に応じた値であるか否かを判定する（ステップＳｔ２５）。画像解析部４０２は、２つの二次元バーコードラベル９３，９２間の距離がハウジング３６に応じた値ではない場合（ステップＳｔ２５のＮｏ）、撮像データＤを異常と判定する（ステップＳｔ２７）。また、画像解析部４０２は、２つの二次元バーコードラベル９３，９２間の距離がハウジング３６に応じた値である場合（ステップＳｔ２５のＹｅｓ）、撮像データＤを正常と判定する（ステップＳｔ２６）。このようにして、撮像データＤの解析処理は実行される。
【００７６】
図１２は、ブレード装置２の収容状態の表示処理の一例を示すフローチャートである。本処理は、図８のステップＳｔ９において、ネットワーク管理装置１の表示処理部１０３により実行される。
【００７７】
表示処理部１０３は、ＨＤＤ１３のシンボルデータベース１３１からシンボルＳａ〜Ｓｉのデータを読み出す（ステップＳｔ３１）。次に、表示処理部１０３は、設置情報テーブル１３０を読み出す（ステップＳｔ３２）。
【００７８】
次に、表示処理部１０３は、設置情報テーブル１３０からラック３ａ〜３ｃまたはハウジング３６の１つを選択する（ステップＳｔ３３）。次に、表示処理部１０３は、選択したラック３ａ〜３ｃまたはハウジング３６のシンボルＳａ〜Ｓｃを出力装置１６の画面に表示する。次に、表示処理部１０３は、選択したラック３ａ〜３ｃまたはハウジング３６の「設置場所」情報を表示する（ステップＳｔ３５）。
【００７９】
次に、表示処理部１０３は、設置情報テーブル１３０に未選択のラック３ａ〜３ｃまたはハウジング３６の有無を判定する（ステップＳｔ３６）。表示処理部１０３は、未選択のラック３ａ〜３ｃまたはハウジング３６がある場合（ステップＳｔ３６のＹｅｓ）、他のラック３ａ〜３ｃまたはハウジング３６を選択して（ステップＳｔ３３）、再びステップＳｔ３４，Ｓｔ３５の処理を実行する。これにより、設置情報テーブル１３０に設置情報が登録された全てのラック３ａ〜３ｃまたはハウジング３６が表示される。
【００８０】
図１３にはラック３ａ〜３ｃ及びハウジング３６の表示例が示されている。図１３は、図５に示された設置情報テーブル１３０のラック３ａ〜３ｃ及びハウジング３６を表示した出力装置１６の画面を示す。
【００８１】
表示処理部１０３は、設置情報テーブル１３０のデータ番号＃１の型格「ＦＪ−ＲＡＣＫ−００１」のラック３ａ，３ｃに対応するシンボルＳａを画面に表示し、その「設置場所」情報を、符号Ｈａ，Ｈｂに示されるように表示する。また、表示処理部１０３は、設置情報テーブル１３０のデータ番号＃２の型格「ＦＪ−ＲＡＣＫ−００２」のラック３ｂに対応するシンボルＳｂを画面に表示し、その「設置場所」情報を、符号Ｈａ，Ｈｃに示されるように表示する。
【００８２】
また、表示処理部１０３は、設置情報テーブル１３０のデータ番号＃３の型格「ＦＪ−ＨＯＵＳＩＮＧ−００１」のハウジング３６に対応するシンボルＳｃを画面に表示する。このとき、表示処理部１０３は、データ番号＃３の「設置場所」に基づき、ハウジング３６がデータ番号＃２の型格「ＦＪ−ＲＡＣＫ−００２」のスロット＃２の位置に配置されていることを識別する。
【００８３】
より具体的には、データ番号＃３のハウジング３６とデータ番号＃２のラック３ｂは、フロア、架列、及び位置番号が一致することから、ハウジング３６の設置されるラック３ｂが特定される。さらに、ハウジング３６のスロット番号「２」からハウジング３６のラック３ｂ上の位置が特定される。
【００８４】
このため、表示処理部１０３は、ハウジング３６の最上部のスロット＃１がラック３ｂのスロット＃２に一致するように、ラック３ｂのシンボルＳｂにハウジング３６のシンボルＳｃを重ねて表示する。なお、ラック３ｂのスロット番号はハウジング３６のスロット番号より優先して表示される。
【００８５】
再び図１２を参照すると、表示処理部１０３は、未選択のラック３ａ〜３ｃまたはハウジング３６がない場合（ステップＳｔ３６のＮｏ）、装置情報テーブルＴＬを読み出す（ステップＳｔ３７）。次に、表示処理部１０３は、装置情報テーブルＴＬからブレード装置２の１つを選択する（ステップＳｔ３８）。
【００８６】
次に、表示処理部１０３は、装置情報テーブルＴＬの「ブレード装置」情報からブレード装置２の種類を識別し、装置情報テーブルＴＬの「収容位置」情報からブレード装置２のスロット位置を識別する（ステップＳｔ３９）。このとき、表示処理部１０３は、「ブレード装置」情報の型格及び版数に基づきブレード装置２の種類を特定する。
【００８７】
また、表示処理部１０３は、設置情報テーブル１３０から、装置情報テーブルＴＬの「収容位置」情報の型格及びシリアル番号に一致する「ラック／ハウジング」情報を検索し、その検索結果からブレード装置２が収容されたラック３ａ，３ｃまたはハウジング３６を特定する。そして、表示処理部１０３は、装置情報テーブルＴＬの「収容位置」情報のスロット番号から、ラック３ａ，３ｃまたはハウジング３６内のブレード装置２のスロット位置を特定する。このため、表示処理部１０３は、ラック３ａ，３ｃまたはハウジング３６の種類に応じたブレード装置２のスロット位置を正確に識別することができる。
【００８８】
次に、表示処理部１０３は、ブレード装置２の種類及びスロット位置を識別した結果に従い、ブレード装置２の種類に応じたシンボルＳｄ〜Ｓｉを、該当するスロット位置に表示する（ステップＳｔ４０）。次に、表示処理部１０３は、未選択のブレード装置２の有無を判定する（ステップＳｔ４１）。表示処理部１０３は、未選択のブレード装置２がある場合（ステップＳｔ４１のＹｅｓ）、他のブレード装置２を選択して（ステップＳｔ３８）、再びステップＳｔ３９，Ｓｔ４０の各処理を実行する。
【００８９】
また、表示処理部１０３は、未選択のブレード装置２がない場合（ステップＳｔ４１のＮｏ）、処理を終了する。これにより、装置情報テーブルＴＬに装置情報が登録された全てのブレード装置２が表示される。
【００９０】
図１４はブレード装置２の表示例を示す。図１４は、図１３の画面上に、図６の装置情報テーブルＴＬのブレード装置２のシンボルＳｄ，Ｓｆ，Ｓｈを追加して表示した画面を示す。
【００９１】
表示処理部１０３は、装置情報テーブルＴＬのデータ番号＃１，＃３〜＃５の「収容位置」情報の型格及びシリアル番号が、設置情報テーブル１３０のデータ番号＃１の「ラック／ハウジング」情報の型格及びシリアル番号に一致するため、該当する各ブレード装置２がラック３ａ，３ｃに収容されていると特定する。そして、表示処理部１０３は、各ブレード装置２の「ブレード装置」情報の型格及び版数に対応するシンボルＳｄ，Ｓｆ，Ｓｈを、型格「ＦＪ−ＲＡＣＫ−００１」のラック３ａ，３ｃのシンボルＳａ上の「収容位置」情報のスロット番号の位置に表示する。
【００９２】
このため、例えば、データ番号＃１の型格「ＦＪ−ＢＬＡＤＥ−００１」及び版数「１」のブレード装置２のシンボルＳｄは、型格「ＦＪ−ＲＡＣＫ−００１」のラック３ａ，３ｃのスロット＃３の位置に表示される。また、データ番号＃５の型格「ＦＪ−ＢＬＡＤＥ−００３」及び版数「２」のブレード装置２のシンボルＳｈは、型格「ＦＪ−ＲＡＣＫ−００１」のラック３ａ，３ｃのスロット＃６の位置に表示される。
【００９３】
また、表示処理部１０３は、装置情報テーブルＴＬのデータ番号＃２，＃６〜＃８の「収容位置」情報の型格及びシリアル番号が、設置情報テーブル１３０のデータ番号＃３の「ラック／ハウジング」情報の型格及びシリアル番号に一致するため、該当する各ブレード装置２がハウジング３６に収容されていると特定する。そして、表示処理部１０３は、各ブレード装置２の「ブレード装置」情報の型格及び版数に対応するシンボルＳｄ，Ｓｆ，Ｓｈを、型格「ＦＪ−ＨＯＵＳＩＮＧ−００１」のハウジング３６のシンボルＳｃ上の「収容位置」情報のスロット番号の位置に表示する。
【００９４】
このため、例えば、データ番号＃２の型格「ＦＪ−ＢＬＡＤＥ−００１」及び版数「１」のブレード装置２のシンボルＳｄは、型格「ＦＪ−ＨＯＵＳＩＮＧ−００１」のハウジング３６のスロット＃２の位置に表示される。ただし、画面上では、ハウジング３６のスロット番号ではなく、ラック３ｂのスロット番号が表示されているため、ブレード装置２のシンボルＳｄは、ラック３ｂのスロット＃３の位置に表示される。
【００９５】
また、データ番号＃８の型格「ＦＪ−ＢＬＡＤＥ−００３」及び版数「２」のブレード装置２のシンボルＳｈは、型格「ＦＪ−ＨＯＵＳＩＮＧ−００１」のハウジング３６のスロット＃５の位置に表示される。すなわち、ブレード装置２のシンボルＳｈは、ラック３ｂのスロット＃６の位置に表示される。このようにして、ネットワーク管理装置１は、二次元バーコードラベル９１〜９３を含む撮像データＤから生成された装置情報に基づき、各ブレード装置２の種類及び、ラック３ａ，３ｃまたはハウジング３６に応じたスロット位置を識別して表示する。
【００９６】
本実施例において、撮像データＤは、ラック３ａ，３ｃまたはハウジング３６の二次元バーコードラベル９１，９３とブレード装置２の二次元バーコードラベル９２の一組だけが撮像されたものであったが、これに限定されない。撮像データＤは、端末４により複数組の二次元バーコードラベル９１〜９３をまとめて撮像したものであってもよい。
【００９７】
図１５は、ラック３ａ，３ｃとハウジング３６の設置からブレード装置２の収容状態の表示までの手順の他例を示すフローチャートである。図１５において、図８と共通する処理については同一の符号を付し、その説明を省略する。
【００９８】
作業者は、設置情報の登録後（ステップＳｔ２）、複数組の二次元バーコードラベル９１〜９３を撮影する（ステップＳｔ３ａ）。次に、作業者は、撮影した画像をスロットごとの画像に分割する（ステップＳｔ３ｂ）。これにより、図８の場合と同様に、撮像データＤから装置情報を生成することができる。
【００９９】
図１６には、二次元バーコードラベル９１〜９３の撮影手法の他例が示されている。本例では、ラック３ａ，３ｃに収容されたブレード装置２の場合を挙げるが、ハウジング３６に収容されたブレード装置２の場合も同様に撮影することができる。
【０１００】
作業者は、端末４を用いて二次元バーコードラベル９１，９２を撮影する。より具体的には、作業者は、端末４のタッチパネル４５の表示画面に、ラック３ａ，３ｃ及びブレード装置２の点線枠で示した領域が収まるように撮影を行う。これにより、符号Ｇｂで示されるように、ラック３ａ，３ｃの二次元バーコードラベル９１及びブレード装置２の二次元バーコードラベル９２の複数組が同一のフレーム内に収められた画像が撮影される。
【０１０１】
図１７には画像Ｇｂの分割処理が示されている。端末４の装置情報生成部４０３は、画像Ｇｂをスロットごとの画像Ｇｂ−１〜Ｇｂ−４に分割する。分割処理は、例えば、二次元バーコードラベル９１〜９３の位置を検出することにより行われる。分割後の各画像Ｇｂ−１〜Ｇｂ−４には、一組の二次元バーコードラベル９１，９２が写っているため、装置情報生成部４０３は、各画像Ｇｂ−１〜Ｇｂ−４の撮像データＤから図６に示された装置情報を生成することができる。
【０１０２】
本例において、作業者は、複数組の二次元バーコードラベル９１〜９３をまとめて撮影することができるため、二次元バーコードラベル９１〜９３を一組ずつ撮影する場合と比べると撮影の手間が省ける。
【０１０３】
また、上述した実施例において、ラック３ａ，３ｃまたはハウジング３６は、全てのスロット位置に対応して二次元バーコードラベル９１，９３が付与されているが、これに限定されない。二次元バーコードラベル９１，９３は、例えば、互いに隣接するスロット位置に対して所定数おきに付与されてもよい。
【０１０４】
この場合、作業者は、複数組の二次元バーコードラベル９１〜９３を撮影し、端末４の装置情報生成部４０３が、その撮影した画像を所定数のスロットごとに分割する。装置情報生成部４０３は、二次元バーコードラベル９１，９３のないスロット位置を、他の二次元バーコードラベル９１，９３のスロット位置から特定することができるため、上記と同様に装置情報を生成することができる。
【０１０５】
図１８には、二次元バーコードラベル９１，９２の撮影手法の他例が示されている。本例では、ラック３ａ，３ｃに収容されたブレード装置２の場合を挙げるが、ハウジング３６に収容されたブレード装置２の場合も同様に撮影することができる。
【０１０６】
ラック３ａ，３ｃには、一例として、奇数番号のスロットだけに対応して二次元バーコードラベル９１が付与されている。なお、二次元バーコードラベル９１は、これに限定されず、偶数番号のスロットだけに対応して付与されてもよいし、２個のスロットおきに付与されてもよい。
【０１０７】
作業者は、端末４を用いて二次元バーコードラベル９１，９２を撮影する。より具体的には、作業者は、端末４のタッチパネル４５の表示画面に、ラック３ａ，３ｃ及びブレード装置２の点線枠で示した領域が収まるように撮影を行う。これにより、符号Ｇｃで示されるように、ラック３ａ，３ｃの二次元バーコードラベル９１及びブレード装置２の二次元バーコードラベル９２の複数組が同一のフレーム内に収められた画像が撮影される。
【０１０８】
図１９には画像Ｇｃの分割処理が示されている。端末４の装置情報生成部４０３は、画像Ｇｃをスロットごとの画像Ｇｃ−１〜Ｇｃ−４に分割する。分割処理は、例えば、二次元バーコードラベル９１〜９３の位置を検出することにより行われる。
【０１０９】
装置情報生成部４０３は、奇数番号のスロットについて、そのスロットごとの画像Ｇｃ−２，Ｇｃ−４を分割により生成する。分割後の各画像Ｇｃ−２，Ｇｃ−４には、一組の二次元バーコードラベル９１，９２が写っているため、装置情報生成部４０３は、各画像Ｇｃ−２，Ｇｃ−４の撮像データＤから図６に示された装置情報を生成することができる。
【０１１０】
また、装置情報生成部４０３は、偶数番号のスロットについて、そのスロットと隣接スロットの画像Ｇｃ−１，Ｇｃ−３を分割により生成する。このため、装置情報生成部４０３は、二次元バーコードラベル９１のない偶数番号のスロットについて、奇数番号のスロットの二次元バーコードラベル９１からスロット番号を特定することができる。例えば、画像Ｇｃ−１の二次元バーコードラベル９１のスロット番号が「３」である場合、二次元バーコードラベル９１のないスロットのスロット番号は「４」と特定される。
【０１１１】
これにより、装置情報生成部４０３は、各画像Ｇｃ−１，Ｇｃ−３の撮像データＤから図６に示された装置情報を生成することができる。つまり、装置情報は、ラック３ａ，３ｃにおいて互いに隣接する複数のスロット位置に対して所定数おきに付与された二次元バーコードラベル９１と、各ブレード装置２に付与された二次元バーコードラベル９２とを含む撮像データＤから得られる。本例では、ラック３ａ，３ｃまたはハウジング３６の二次元バーコードラベル９１，９３を間引きすることができるため、コストを低減することができる。
【０１１２】
また、二次元バーコードラベル９２にブレード装置２の消費電力の情報を追加することにより、ハウジング３６に収容されたブレード装置２の電力を管理することも可能である。この場合、ブレード装置２に付与された二次元バーコードラベル９２は、ブレード装置２の型格、版数、シリアル番号、及び消費電力を示す。
【０１１３】
図２０には、装置情報テーブルＴＢＬの他例が示されている。図２０において、図６と共通する項目については説明を省略する。
【０１１４】
本例において、装置情報には、ブレード装置２の消費電力が追加されている。消費電力は、例えばブレード装置２の種類に応じた設計値に基づき決定され、二次元バーコードラベル９２に記録される。例えば、データ番号＃１〜＃３のブレード装置２の消費電力は６００（Ｗ）であり、データ番号＃５，＃７，＃８のブレード装置２の消費電力は８００（Ｗ）である。
【０１１５】
端末４の装置情報生成部４０３は、二次元バーコードラベル９２から読み出した消費電力を含む装置情報を生成する。また、ネットワーク管理装置１において、装置情報登録部１０２は、その装置情報を装置情報テーブルＴＬに登録する。
【０１１６】
また、図２１には設置情報テーブル１３０の他例が示されている。図２１において、図５と共通する項目については説明を省略する。
【０１１７】
本例において、ハウジング３６の設置情報には、ハウジング３６の許容電力が追加されている。許容電力は、例えばハウジング３６の種類に応じた設計値に基づき決定され、設置情報登録部１０１により設置情報テーブル１３０に登録される。なお、ラック３ａ〜３ｃはブレード装置２へ電力供給を行わないため、その許容電力の情報は適用外（「Ｎ／Ａ」参照）となる。
【０１１８】
また、表示処理部１０３は、ハウジング３６に収容された各ブレード装置２の消費電力の合計を算出して出力装置１６の画面に表示する。これにより、ネットワーク管理装置１は、ハウジング３６内のブレード装置２の消費電力を管理することができる。
【０１１９】
さらに、表示処理部１０３は、ハウジング３６内の各ブレード装置２の消費電力の合計が許容電力を超える場合、警告を表示する。これにより、ハウジング３６内の各ブレード装置２の消費電力が許容電力を超過することにより、障害が発生することが防止される。
【０１２０】
図２２は、ブレード装置２の収容状態の表示処理の他例を示すフローチャートである。図２２において、図１２と共通する処理については同一の符号を付し、その説明を省略する。
【０１２１】
表示処理部１０３は、全てのブレード装置２のシンボルＳｄ〜Ｓｉを表示した後（ステップＳｔ４１のＮｏ）、設置情報テーブル１３０からハウジング３６の１つを選択する（ステップＳｔ４２）。次に、表示処理部１０３は、装置情報テーブルＴＬから、そのハウジング３６に収容された各ブレード装置２の消費電力の合計を算出する（ステップＳｔ４３）。
【０１２２】
次に、表示処理部１０３は、算出した消費電力の合計を、設置情報テーブル１３０に登録されたハウジング３６の許容電力と比較する（ステップＳｔ４４）。表示処理部１０３は、消費電力の合計が許容電力より大きい場合（ステップＳｔ４４のＹｅｓ）、警告として電力超過通知を表示する（ステップＳｔ４５）。
【０１２３】
図２３には電力超過通知の表示例が示されている。図２３は、図１４に示された画面に電力超過通知Ｐが追加されたものを示す。
【０１２４】
電力超過通知Ｐは、該当するハウジング３６の近傍に表示される。電力超過通知Ｐには、ハウジング３６の許容電力（２０００（Ｗ））、ハウジング３６内の各ブレード装置２の消費電力の合計（２６００（Ｗ））、及び「電力超過」の表示が含まれる。オペレータは、電力超過通知Ｐにより、ハウジング３６が電力超過の状態であること、及び、超過分の電力（６００（Ｗ））を知ることができる。
【０１２５】
再び図２２を参照すると、表示処理部１０３は、消費電力の合計が許容電力以下である場合（ステップＳｔ４４のＮｏ）、電力超過通知Ｐの表示を行わない。次に、表示処理部１０３は、設置情報テーブル１３０内の未選択のハウジング３６の有無を判定する（ステップＳｔ４６）。
【０１２６】
表示処理部１０３は、未選択のハウジング３６がある場合（ステップＳｔ４６のＹｅｓ）、他のハウジング３６を選択して（ステップＳｔ４２）、再びステップＳｔ４３以降の処理を実行する。また、表示処理部１０３は、未選択のハウジング３６がない場合（ステップＳｔ４６のＮｏ）、処理を終了する。
【０１２７】
このように、本実施例によると、ネットワーク管理装置１は、ハウジング３６の電力管理を行うことができる。
【０１２８】
上述した実施形態は本発明の好適な実施の例である。但し、これに限定されるものではなく、本発明の要旨を逸脱しない範囲内において種々変形実施可能である。
【０１２９】
なお、以上の説明に関して更に以下の付記を開示する。
（付記１）  収容装置に収容された複数の通信装置の収容状態を管理する管理装置において、
前記収容装置に付与され、前記収容装置の種類及び前記複数の通信装置の収容位置を示す第１ラベルと、前記複数の通信装置の各々に付与され、該通信装置の種類を示す第２ラベルとを含む撮像データから得られた装置情報を受け付ける受付部と、
前記装置情報に基づき、前記収容装置の種類に応じた前記複数の通信装置の各々の前記収容位置を識別して表示する表示処理部を有することを特徴とする管理装置。
（付記２）  前記装置情報は、前記収容装置に付与された前記第１ラベルと、前記第１ラベルと隣り合うように前記複数の通信装置の各々に付与された前記第２ラベルとを含む前記撮像データから得られることを特徴とする付記１に記載の管理装置。
（付記３）  前記装置情報は、前記収容装置において互いに隣接する複数の前記収容位置に対して所定数おきに付与された前記第１ラベルと、前記複数の通信装置の各々に付与された第２ラベルとを含む前記撮像データから得られることを特徴とする付記１または２に記載の管理装置。
（付記４）  前記第２ラベルは、前記複数の通信装置のうち、該通信装置の種類及び消費電力を示し、
前記表示処理部は、前記複数の通信装置の消費電力の合計を算出して表示することを特徴とする付記１乃至３の何れかに記載の管理装置。
（付記５）  前記表示処理部は、前記複数の通信装置の消費電力の合計が所定値を超える場合、警告を表示することを特徴とする付記４に記載の管理装置。
（付記６）  前記撮像データは、複数組の前記第１ラベル及び前記第２ラベルが撮像されたものであることを特徴とする付記１乃至５の何れかに記載の管理装置。
（付記７）  収容装置にそれぞれ収容された複数の通信装置の収容状態を表示する表示方法において、
前記収容装置に付与され、前記収容装置の種類及び前記収容位置を示す第１ラベルと、前記複数の通信装置の各々に付与され、該通信装置の種類を示す第２ラベルとから得られた装置情報に基づき、前記収容装置の種類に応じた前記複数の通信装置の各々の前記収容位置を識別して表示することを特徴とする表示方法。
（付記８）  前記装置情報は、前記収容装置に付与された前記第１ラベルと、前記第１ラベルと隣り合うように前記複数の通信装置の各々に付与された前記第２ラベルとから得られることを特徴とする付記７に記載の表示方法。
（付記９）  前記装置情報は、前記収容装置において互いに隣接する複数の前記収容位置に対して所定数おきに付与された前記第１ラベルと、前記複数の通信装置の各々に付与された第２ラベルとから得られることを特徴とする付記７または８に記載の表示方法。
（付記１０）  前記第２ラベルは、前記複数の通信装置のうち、該通信装置の種類及び消費電力を示し、
前記複数の通信装置の消費電力の合計を算出して表示することを特徴とする付記７乃至９の何れかに記載の表示方法。
（付記１１）  前記複数の通信装置の消費電力の合計が所定値を超える場合、警告を表示することを特徴とする付記１０に記載の表示方法。
【符号の説明】
【０１３０】
１      ネットワーク管理装置
２      ブレード装置
３ａ〜３ｃ     ラック
３６      ハウジング
９１〜９３     二次元バーコードラベル
１０３     装置情報登録部
ＴＬ      装置情報テーブル
Ｄ      撮像データ
【図１】
2017207958.tif 000003
【図２】
2017207958.tif 000004
【図３】
2017207958.tif 000005
【図４】
2017207958.tif 000006
【図５】
2017207958.tif 000007
【図６】
2017207958.tif 000008
【図７】
2017207958.tif 000009
【図８】
2017207958.tif 000010
【図９】
2017207958.tif 000011
【図１０】
2017207958.tif 000012
【図１１】
2017207958.tif 000013
【図１２】
2017207958.tif 000014
【図１３】
2017207958.tif 000015
【図１４】
2017207958.tif 000016
【図１５】
2017207958.tif 000017
【図１６】
2017207958.tif 000018
【図１７】
2017207958.tif 000019
【図１８】
2017207958.tif 000020
【図１９】
2017207958.tif 000021
【図２０】
2017207958.tif 000022
【図２１】
2017207958.tif 000023
【図２２】
2017207958.tif 000024
【図２３】
2017207958.tif 000025